(57)【要約】【課題】スロットマシンにおいて、筐体内部に設置された電子部品を簡便且つ確実に水分から防御する。【解決手段】本体部Ｓ１およびこの本体部Ｓ１に対して開閉可能に取り付けられた前面扉Ｓ２を備えるとともに内部に電子部品４１，４７，５５が配置された筐体と、本体部Ｓ１と前面扉Ｓ２とが接合する位置に配置されるとともに筐体の内部への水分浸入を阻止する吸湿テープ３９とを備えた構造にする。これによれば、筐体内部に湿気や水分が浸入することを防止でき、内部の電子部品４１，４７，５５を簡便且つ確実に水分から防御できる。【選択図】      図５
2004351024.tif 000002
【特許請求の範囲】
【請求項１】
箱体および当該箱体に対して開閉可能に取り付けられた前面扉を備えるとともに内部に電子部品が配置された筐体と、
前記箱体と前記前面扉とが接合する位置に配置されるとともに前記筐体の内部への水分浸入を阻止する水分阻止手段とを有することを特徴とするスロットマシン。
【請求項２】
前記水分阻止手段は、前記箱体と前記前面扉とが接合する位置の上部に備えられていることを特徴とする請求項１に記載のスロットマシン。
【請求項３】
前記水分阻止手段は、前記箱体と前記前面扉とが接合する位置の周囲に備えられていることを特徴とする請求項１に記載のスロットマシン。
【請求項４】
前記水分阻止手段は、水分を吸収して前記筐体の内部への水分浸入を阻止する吸湿性部材、または前記箱体と前記前面扉とに密着して前記筐体の内部への水分浸入を阻止するシール部材であることを特徴とする請求項１〜３の何れか一項に記載のスロットマシン。
【発明の詳細な説明】
【０００１】
【発明の属する技術分野】
本発明は、スロットマシンに関し、特にスロットマシンの内部に設けられた電子部品を水分から保護する技術に関するものである。
【０００２】
【従来の技術】
近年において、たとえばスロットマシンでは、筐体内部に多数の電子部品が配置されており、マイコン制御との組み合わせにより多彩且つ奥深い遊技性を具備している。そして、このように電子部品が多用されていることから、スロットマシンにはたとえば次のような問題がある。
【０００３】
一つの問題は、電子部品の一部を不適正なものに取り替え、ある特定の遊技形態を実行することによりメダル（またはコイン）を大量に獲得するなどの不正行為である。このような不正行為の防止については、たとえば特開２００２−３３６４０７号公報に記載のように板金フレームを用いるなど、数多くの技術が開示されている。
【０００４】
他の一つの問題は、筐体内部に配置された基盤などの電子部品は水に弱いことから、水分による誤作動のおそれである。
【０００５】
すなわち、スロットマシンでは筐体上面が露出しており、遊技者はここにメダル受皿に入りきれなくなって箱に入れたメダルを置いたり、あるいはその位置が手近なことから缶ジュースなどの飲料水を置いている。そして、筐体上面に飲料水を置いた場合、缶など容器の外周に結露した水滴が自重で筐体上面に流れ落ち、あるいは誤って飲料水の入っている容器を倒して筐体上面に流れ出し、そこから筐体内部に浸入して電子部品の誤作動を引き起こすというものである。
【０００６】
なお、以上説明した事例は筐体内部への水分浸入の一例であるが、たとえば濡れた傘を筐体上面に置くなど、他の種々のケースが想定されることはもちろんである。
【０００７】
【特許文献１】
特開２００２−３３６４０７号公報
【０００８】
【発明が解決しようとする課題】
しかしながら、従来ではスロットマシンの筐体内部に浸入する湿気や水分について考慮されたものはなかった。
【０００９】
ここで、電子部品を個別に密封して水分から防御することも考えられるが、多数の電子部品を密封するにはコストが嵩んでしまい望ましくない。また、電子部品に対する水分の進入経路は、電子部品に直接及ぶ経路のみならず、ハーネスから端子を伝わる経路など多岐にわたるので、個別密封では電子部品を水分から確実に防御することが困難である。
【００１０】
そこで、本発明は、筐体内部に配置された電子部品を簡便且つ確実に水分から防御することのできるスロットマシンを提供することを目的とする。
【００１１】
【課題を解決するための手段】
上記課題を解決するため、箱体および当該箱体に対して開閉可能に取り付けられた前面扉を備えるとともに内部に電子部品が配置された筐体と、前記箱体と前記前面扉とが接合する位置に配置されるとともに前記筐体の内部への水分浸入を阻止する水分阻止手段とを有することを特徴とする。
【００１２】
このような発明によれば、箱体と前面扉とが接合する位置に水分阻止手段を配しているので、筐体内部に湿気や水分が浸入することを防止でき、電子部品毎に水分から防御することなく、電子部品を簡便且つ確実に水分から防御することが可能になる。
【００１３】
本発明の好ましい形態において、前記水分阻止手段は、前記箱体と前記前面扉とが接合する位置の上部に備えられている。
【００１４】
これにより、重力方向からの水分や湿気の浸入を阻止することが可能になる。
【００１５】
本発明のさらに好ましい形態において、前記水分阻止手段は、前記箱体と前記前面扉とが接合する位置の周囲に備えられている。
【００１６】
これにより、全方向からの水分や湿気の浸入を阻止することが可能になる。
【００１７】
本発明のさらに好ましい形態において、前記水分阻止手段は、水分を吸収して前記筐体の内部への水分浸入を阻止する吸湿性部材、または前記箱体と前記前面扉とに密着して前記筐体の内部への水分浸入を阻止するシール部材である。
【００１８】
これにより、筐体内部に湿気や水分が浸入することを防止でき、電子部品を簡便且つ確実に水分から防御することが可能になる。
【００１９】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００２０】
図１は本発明の一実施の形態であるパチスロ機を示す正面図、図２は図１のパチスロ機に設けられたリールの外周面に表される図柄列を示す説明図、図３は図１のパチスロ機における箱体の内部構造を示す正面図、図４は図１のパチスロ機における前面扉の内部構造を示す正面図、図５は図１のパチスロ機における水分阻止手段の取り付けの一例を示す斜視図、図６は図１のパチスロ機における水分阻止手段の取り付けの他の一例を示す斜視図、図７は図１のパチスロ機における水分阻止手段の取り付けのさらに他の一例を示す要部断面図、図８は図１のパチスロ機における水分阻止手段の取り付けのさらに他の一例を示す要部断面図、図９は図１のパチスロ機における水分阻止手段の取り付けのさらに他の一例を示す要部断面図である。
【００２１】
遊技機の一種であるパチスロ機（スロットマシン）１は、本体部（箱体）Ｓ１と、この本体部Ｓ１に対して開閉可能に取り付けられた前面扉Ｓ２とからなる筐体を有している（図５、図６参照）。
【００２２】
このようなパチスロ機１の外観正面を示す図１において、その中央部には、可変表示部を構成する３個のリール２、３、４が回転自在に設けられ、その前面に表示窓５、６、７が設けられている。各リール２、３、４の外周面には複数種類の図柄から成る図柄列が描かれ、これら図柄は表示窓５、６、７を通して観察されるようになっている。これら表示窓５、６、７には、横３本と斜め２本の計５本の入賞ラインＬ１、Ｌ２Ａ、Ｌ２Ｂ、Ｌ３Ａ、Ｌ３Ｂが設けられている。また、表示窓５〜７の下方右側には、遊技者がメダルを入れるためのメダル投入口８が配置されている。
【００２３】
また、表示窓５〜７の左方には、上部から、４個の遊技状態表示ランプ９〜１２、３個の賭数表示ランプ１３〜１５、およびクレジット表示部１６、スタートランプ１７が設けられている。遊技状態表示ランプ９〜１２の詳細は、ビッグボーナス（以下、「ＢＢ」という。）遊技状態ランプ９、レギュラーボーナス（以下、「ＲＢ」という。）遊技状態ランプ１０、再遊技表示ランプ１１、遊技停止表示ランプ１２のことであり、ＢＢ遊技状態ランプ９はＢＢ遊技状態中に点灯、ＲＢ遊技状態ランプ１０はＲＢ遊技状態中に点灯、再遊技表示ランプ１１は再遊技（リプレイ）が発生した時に点灯、遊技停止表示ランプ１２は前回の遊技と今回の遊技の時間的間隔が所定時間未満の時やエラー発生時などに点灯するように制御され、賭数表示ランプ１３〜１５はメダル投入枚数に応じて点灯制御される。クレジット表示部１６は、２桁の７セグメントＬＥＤからなり、パチスロ機１に現在クレジットされているメダル数を表示する。スタートランプ１７は後述するスタートレバー３０の操作の受け付けが有効な時に点滅する。
【００２４】
また、表示窓５〜７の右方には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム入賞時に、ＲＢゲームおよびジャックゲームの残り入賞可能回数をデジタル表示する。ＷＩＮランプ１９はＢＢまたはＲＢに内部当選し、後述する画像表示装置２２で前記ＢＢまたはＲＢが内部当選した旨が告知された場合に点灯する。また、ＷＩＮランプ１９はＢＢまたはＲＢに入賞した場合には必ず点灯する。配当枚数表示部２０は、２桁の７セグメントＬＥＤからなリ、入賞によるメダル払い出し枚数を表示する。インサートランプ２１はメダル投入口８にメダルの投入が受付可能な時に点灯する。
【００２５】
また、表示窓５〜７の直ぐ下方には液晶などの画像表示装置２２が設けられている。この画像表示装置２２には遊技のデモンストレーシヨン画面や複数ゲームに亙る演出画像が表示される。画像表示装置２２の右方の筺体の迫り出し部分３７には、メダル投入口８が設けられている。
【００２６】
また、画像表示装置２２の左側には十字キー２３、Ａボタン２４、Ｂボタン２５、１ＢＥＴスイッチ２６、２ＢＥＴスイッチ２７、および最大ＢＥＴスイッチ２８が設けられている。十字キー２３は上下左右の４方向にスイッチ操作され、Ａボタン２４およびＢボタン２５と共に操作されて画像表示装置２２に表示する情報を選択する際に使用される。また、ＢＥＴスイッチ２６〜２８は、クレジット表示部１６にメダル数が表示されてクレジットされている際に、メダル投入口８へのメダル投入に代えて１回のゲームに１〜３枚のメダルを賭ける際に使用される。
【００２７】
また、画像表示装置２２の下方には、左から、クレジットメダル精算スイッチ２９、スタートレバー３０、および停止ボタン３１、３２、３３が設けられている。クレジットメダル精算スイッチ２９はパチスロ機１にクレジットされているメダルを精算する際に使用される。また、スタートレバー３０の操作により各リール２〜４の回転が一斉に開始する。停止ボタン３１、３２、３３は、各リール２〜４に対応して配置されており、これら各リール２〜４の回転が一定速度に達したとき操作が有効化され、遊技者の操作に応じて各リール２〜４の回転を停止する。
【００２８】
また、パチスロ機１の正面下部にはメダル受皿３４が設けられている。このメダル受皿３４はメダル払出口３５から払い出されるメダルを貯めるものである。また、パチスロ機１の正面上部には、入賞に対してどれだけのメダルが払い出されるかを示す配当表示部３６が設けられ、その左右にスピーカ８２Ｌ、８２Ｒが取り付けられている。
【００２９】
そして、停止ボタン３１〜３３とメダル受皿３４とに上下を挟まれた位置には、機種のモチーフに対応したデザインがあしらわれた腰部パネル３８が取り付けられている。
【００３０】
図２はリール２、３、４の外周面に表される図柄列を示す。各図柄列は、複数種類の図柄を２１個配列して構成される。本実施の形態では、この図２に示すように“７”（図柄９１）、“パンチＡ”（図柄９２）、“パンチＢ”（図柄９３）、“パンチングボール”（図柄９４）、“ベル”（図柄９５）、“チェリー”（図柄９６）、“リベンジ”（図柄９７）の７種類の図柄が設定されている。各図柄には、“１”〜“２１”のコードナンバーが付され、図柄テーブルとしてＲＯＭに格納されている。各リール２、３、４は、図柄列が図の矢印方向に移動するように回転駆動される。
【００３１】
図３に示すように、筐体の一方側である本体部Ｓ１内には、内部空間を上下に区画する仕切り板４０が取り付けられている。仕切り板４０に仕切られた上部空間には、メイン制御基盤（電子部品）４１およびリールユニット４２が上下に配置されており、右側壁には外部集中端子板（電子部品）４３が取り付けられている。
【００３２】
ここで、メイン制御基盤４１はマイクロコンピュータを主な構成要素とし、これに乱数サンブリングのための回路を加えて構成されており、当選、落選を決定する内部抽選、リール２、３、４の回転および停止、メダル払い出し制御などを行う。リールユニット４２には前述したリール２、３、４やこれらを回転駆動するステッピングモータなどが格納されている。外部集中端子板４３は、ボーナスカウント表示部１８に表示されるゲーム数や配当枚数表示部２０に表示されるＢＢ中の獲得メダル枚数などの情報を出力する。
【００３３】
仕切り板４０の下側に位置する下部空間には、払い出されるメダルが収納されるホッパー４４がその略中央に設置されている。そして、ホッパー４４の右下にはホッパー４４からあふれ出したメダルが入るメダル補助収納庫４５が、左下にはホッパー４４内のメダルを入賞枚数に応じてメダル払い出し口４６ａから払い出す払い出しケース４６が、それぞれ配置されている。また、ホッパー４４の左側には、遊技不能状態からの復帰時に用いられるリセットスイッチ、ＢＢの当選確率を調整する設定スイッチなどが備えられ、メインスイッチの操作によりパチスロ機１への電源供給を行う電源ユニット（電子部品）４７が設置されている。
【００３４】
また、図４に示すように、筐体の他方側である前面扉Ｓ２内には、最上部に、各遊技状態に応じて点滅パターンを表示する遊技状態表示基盤（電子部品）５０が設置されている。遊技状態表示基盤５０の下側で配当表示部３６の裏側には、配当表示部３６を照明するための冷陰極管５１が配置され、その近傍には、当該冷陰極管５１のインバータである冷陰極管インバータ５２およびリール２〜４を照明する冷陰極管５４のインバータである冷陰極管インバータ５３が設置されている。また、冷陰極管インバータ５２、５３の左右には、前述したスピーカ８２Ｌ、８２Ｒが位置している。
【００３５】
表示窓５〜７の上側には、遊技状態表示基盤５０、冷陰極管インバータ５２、５３、スピーカ８２Ｌ、８２Ｒおよび後述するサブ制御基盤（電子部品）５５を中継する上部中継基盤（電子部品）５６が配置されている。また、表示窓５〜７の左側には、ボーナスカウント表示部１８、ＷＩＮランプ１９、配当枚数表示部２０、インサートランプ２１の表示を制御する第１のガラスベース基盤（電子部品）５７が、右側には、遊技状態表示ランプ９〜１２、賭数表示ランプ１３〜１５、クレジット表示部１６、スタートランプ１７の表示を制御する第２のガラスベース基盤（電子部品）５８が、それぞれ配置されている。
【００３６】
前述のように表示窓５〜７の直下には画像表示装置２２が設けられており、この画像表示装置２２の裏側には、メイン制御基盤４１と第１および第２のガラスベース基盤５７、５８とを中継するドア中継基盤（電子部品）５９が配置されている。ドア中継基盤５９の右側には、液晶画面の切り替えや入力をする入力装置基盤（電子部品）６０、およびクレジットされている遊技メダルを１枚または２枚投入するためのＢＥＴ基盤（電子部品）６１が設けられている。さらに、ドア中継基盤５９の直下には、回転しているリール２〜４を停止させるとともに停止可能なリール２〜４を表示する停止ボタン基盤（電子部品）６２が配置されている。
【００３７】
停止ボタン基盤６２の下側には、画像表示装置２２の表示内容、リール図柄表示ランプ、リール図柄表示ＬＥＤ、遊技状態表示基盤５０、スピーカ８２Ｌ、８２Ｒによる効果音および通信の制御をするためのサブ制御基盤５５が、中央から右下にわたって配置されている。また、サブ制御基盤５５を回避するようにして、投入されたメダルがメダル受皿３４に返却されるときに通る通路である遊技メダルキャンセルシュート６３が取り付けられている。
【００３８】
さらに、腰部パネル３８の裏側には、この腰部パネル３８を照明する蛍光灯６４が配置され、その近傍には、腰部パネル３８を照明するためのインバータである蛍光灯インバータ６５が設けられている。
【００３９】
さて、本実施の形態のパチスロ機１では、図５および図６に示すように、本体部Ｓ１と前面扉Ｓ２とが接合する位置に、筐体の内部への水分浸入を阻止する吸湿テープ（水分阻止手段）３９が貼着されている。吸湿テープ３９は、所定の厚さを有するたとえばポリウレタン系の材料をテープ状に加工し、その片面に粘着性を有する部材を配したものである。このような吸湿テープ３９を本体部Ｓ１と前面扉Ｓ２との間に配置することにより筐体内部に湿気や水分が浸入することを防止し、前述した各種の電子部品を水分が原因の誤作動から守っている。特に筐体上面から水分が浸入した場合においては、筐体内の上側に配置されたメイン制御基盤４１や遊技状態表示基盤５０、冷陰極管インバータ５２，５３などの電子部品が誤動作を起こすおそれが高いが、吸湿テープ３９を配置することにより、このようなおそれを確実に排除することができる。
【００４０】
ここで、図５に示す場合には、吸湿テープ３９は本体部Ｓ１および前面扉Ｓ２の上部に貼着されており、重力方向からの水分や湿気の浸入を阻止している。特に、前面扉Ｓ２の上部に配置されたメイン制御基盤４１や遊技状態表示基盤５０、冷陰極管インバータ５２，５３などの電子部品が誤動作を起こすおそれを確実に排除できる。
【００４１】
また、図６に示す場合には、吸湿テープ３９は本体部Ｓ１および前面扉Ｓ２の周囲に貼着されており、重力方向のみならず、全方向からの水分や湿気の浸入を阻止することが可能になる。
【００４２】
なお、吸湿テープ３９は本体部Ｓ１側または前面扉Ｓ２側の何れかにのみ貼着してもよい。
【００４３】
なお、水分は一般的には重力方向から浸入してくると考えられることから、吸湿テープ３９は少なくとも本体部Ｓ１または前面扉Ｓ２の何れかの上部に貼着するのが望ましいが、上部ではなく側部あるいは下部に貼着してもよい。
【００４４】
このように、本実施の形態によれば、本体部Ｓ１と前面扉Ｓ２とが接合する位置に、筐体の内部への水分浸入を阻止する吸湿テープ３９を配しているので、筐体内部に湿気や水分が浸入することを防止し、電子部品を確実に水分から防御することが可能になる。また、筐体そのものに吸湿テープ３９を配しているので、電子部品毎に水分から防御することなく、電子部品を簡便に水分から防御することが可能になる。
【００４５】
ここで、パチスロ機１には、外部からの不正を防止するために、本体部Ｓ１と前面扉Ｓ２とが接合する部分の周囲に金属プレート４８が取り付けられているものがある。この場合には、図７に示すように、吸湿テープ３９は金属プレート４８から突出するようにしてその内周側に取り付けることができる。このとき、金属プレート４８に吸湿テープ３９に連通する孔を空け、この孔を介して水分を吸湿テープ３９に案内するようにしてもよい。
【００４６】
また、図８に示すように、吸湿テープ３９は金属プレート４８の外周側に取り付けてもよい。この場合には、吸湿テープ３９と木製の本体部Ｓ１とが直接接触して吸湿テープ３９に吸収された水分により本体部Ｓ１がふやけるのを防止するために、吸湿テープ３９と本体部Ｓ１との間に水分を通さないフィルム状のシートなど遮水性部材４９を配置するのがよい。なお、金属プレート４８が取り付けられていない場合には、図９に示すように、吸湿テープ３９は遮水性部材４９を介して本体部Ｓ１に取り付けるのがよい。
【００４７】
なお、以上の説明では本発明に吸湿テープ３９を適用した例を取り上げたが、水分阻止手段としては、たとえば不織布のように水分を吸収して筐体の内部への水分浸入を阻止する吸湿性部材であれば足り、前述した素材の吸湿テープに限定されるものではない。また、吸湿性部材の配し方は貼着だけに限定されるものではなく、たとえば吸湿性部材を埋設してもよいし、本体部Ｓ１や前面扉Ｓ２の上部や周囲を構成する部材を吸湿性のあるもので作成してもよい。
【００４８】
さらに、水分阻止手段としては筐体内部に水分や湿気の浸入を阻止できるものであれば吸湿性部材ではなくてもよく、たとえば本体部Ｓ１と前面扉Ｓ２とに密着して筐体の内部への水分浸入を阻止するゴムなどのシール部材でもよい。また、本実施の形態によれば、サブ制御基盤５５は前面扉Ｓ２の下部に配置されていたが、サブ制御基盤５５が前面扉Ｓ２の上部に設けられたスロットマシンに場合において、遊技者が遊技を行う上で重要な演出を行うサブ制御基盤５５が誤動作を起こすおそれを確実に排除できるために効果的である。
【００４９】
そして、以上の説明においては、本発明を遊技機の一つであるパチスロ機１に適用した場合が説明されているが、本発明はこれに限定されるものではなく、パチンコ機、あるいはゲームセンターに設置された各種ゲーム機など、筐体内部に電子部品を備えた種々の遊技機に適用することが可能である。
【００５０】
【発明の効果】
以上の説明から明らかなように、本発明によれば以下の効果を奏することができる。
【００５１】
すなわち、箱体と前面扉とが接合する位置に水分阻止手段を配しているので、筐体内部に湿気や水分が浸入することを防止でき、電子部品毎に水分から防御することなく、電子部品を簡便且つ確実に水分から防御することが可能になる。
【図面の簡単な説明】
【図１】本発明の一実施の形態であるパチスロ機を示す正面図である。
【図２】図１のパチスロ機に設けられたリールの外周面に表される図柄列を示す説明図である。
【図３】図１のパチスロ機における箱体の内部構造を示す正面図である。
【図４】図１のパチスロ機における前面扉の内部構造を示す正面図である。
【図５】図１のパチスロ機における水分阻止手段の取り付けの一例を示す斜視図である。
【図６】図１のパチスロ機における水分阻止手段の取り付けの他の一例を示す斜視図である。
【図７】図１のパチスロ機における水分阻止手段の取り付けのさらに他の一例を示す腰部断面図である。
【図８】図１のパチスロ機における水分阻止手段の取り付けのさらに他の一例を示す腰部断面図である。
【図９】図１のパチスロ機における水分阻止手段の取り付けのさらに他の一例を示す腰部断面図である。
【符号の説明】
１  パチスロ機（スロットマシン）
３９  吸湿テープ
４１  メイン制御基盤（電子部品）
４７  電源ユニット（電子部品）
５５  サブ制御基盤（電子部品）
Ｓ１  本体部（箱体）
Ｓ２  前面扉
【図１】
2004351024.tif 000003
【図２】
2004351024.tif 000004
【図３】
2004351024.tif 000005
【図４】
2004351024.tif 000006
【図５】
2004351024.tif 000007
【図６】
2004351024.tif 000008
【図７】
2004351024.tif 000009
【図８】
2004351024.tif 000010
【図９】
2004351024.tif 000011